(57)【要約】【課題】穂先竿の撓りを阻害することなく釣糸からの力を竿体に円滑に伝達し、装着作業も容易な釣糸をガイドするための部材を備える釣竿を提供する。【解決手段】この釣竿の穂先竿３の周面にはコイル部材１０が装着されている。コイル部材１０は固定部分１２とコイル部分１１とが交互に連続しており、この固定部分１１が穂先竿３の周面に巻糸１３で固定され、コイル部分１１が穂先竿３の周面から一定の距離を隔てて配置されている。【選択図】　　　図２
2004129525.tif 000002
【特許請求の範囲】
【請求項１】
複数の竿体を連結して構成される釣竿であり、
前記複数の竿体の中で最も穂先側に位置する穂先竿は、本体部と、前記本体部の穂先側端部に装着されるトップガイドと、前記本体部の周面に装着されるコイル部材とを有し、
前記コイル部材は固定部分とコイル部分とが交互に連続しており、前記固定部分が前記本体部の周面に巻糸で固定され、前記コイル部分が前記本体部の周面から一定の距離を隔てて配置されている、釣竿。
【請求項２】
前記本体部は中実の細棒部材である、請求項１に記載の釣竿。
【発明の詳細な説明】
【０００１】
【発明の属する技術分野】
本発明は、魚釣りに用いる釣竿、特に、竿体の周面に釣糸を案内する釣糸ガイドを備える釣竿に関する。
【０００２】
【従来の技術】
従来の釣竿の中で、いわゆる外通し竿と呼ばれるタイプの釣竿は、一般に、複数の先細り筒状の竿体からなり、最も竿元側に位置しリールを竿体周面に装着可能なリールシートを有する元竿と、順次元竿の穂先側に振出形式若しくは並継形式などで連結される元上竿，中竿，穂先竿等から構成される。
【０００３】
各竿体の周面には、長手方向に一定の間隔を隔てて複数の釣糸ガイドが固定される。この釣糸ガイドは、竿体周面に固定される部分である固定部分と、固定部分に連続してなり竿体周面に対して起立しているフレーム部分と、フレーム部分の先端に取り付けられるセラミックス等の硬質部材からなるガイドリングとを有する。そして、この固定部分を巻糸などで竿体周面に固定している（例えば、特許文献１参照）。
【０００４】
しかし、このような釣糸ガイドの竿体への装着は煩雑であり、特に、竿体が小径化するとその装着作業の煩雑化が著しい。また、小径の穂先竿では釣糸の先端の仕掛けに魚が係った振動を鋭敏に釣糸から竿体に伝達するべく、釣糸ガイドの軸方向間隔も狭めて多数の釣糸ガイドを竿体に装着するので、個数的にも装着作業が繁雑化する。そして、多数の釣糸ガイドを竿体に装着する必要がある一方で、あまり多数の釣糸ガイドの竿体への装着箇所を増やすと、穂先竿の本来のなだらかな撓りを阻害する恐れも生じてくる。
【０００５】
【特許文献１】
特開平１０−３０９１５３号公報（図１，図２）
【０００６】
【発明の解決する課題】
本発明の課題は、穂先竿の撓りを阻害することなく釣糸からの力を竿体に円滑に伝達し、装着作業も容易な釣糸をガイドするための部材を備える釣竿を提供することにある。
【０００７】
【課題を解決するための手段】
発明１の釣竿は、複数の竿体を連結して構成される釣竿である。この複数の竿体の中で最も穂先側に位置する穂先竿は、本体部と、本体部の穂先側端部に装着されるトップガイドと、本体部の周面に装着されるコイル部材とを有している。そして、コイル部材は固定部分とコイル部分とが交互に連続しており、固定部分が本体部の周面に巻糸で固定され、コイル部分が本体部の周面から一定の距離を隔てて配置されている。
【０００８】
この釣竿の穂先竿の部分では、釣糸がコイル部材のコイル部分を軸方向に挿通しており、このコイル部分が釣糸を支持し案内している。コイル部分を挿通した釣糸はさらにトップガイドに案内されて穂先側方向に至る。コイル部分は軸方向に一定の範囲をもって釣糸を支持し案内しており、釣糸からの力を円滑に竿体に伝達する。また、軸方向に一定の範囲をもって釣糸を支持することで釣糸がコイル部分のセンターを通り易く、釣糸の出入りを円滑化している。さらにまた、一連のコイル部材の固定部分を竿体に固定することは、従前の釣糸ガイドを個別に固定するのに比べて容易であり作業性が向上する。また、コイル部分が軸方向に一定の距離を有するので、従前の釣糸ガイドを個別に固定するのに比べて、竿体への固定箇所の数を減少させ得、竿体の円滑な撓りも確保し易い。
【０００９】
発明２の釣竿は、発明１の釣竿であり、穂先竿の本体部が中実の細棒部材である。
中実の穂先竿は小径化が可能であり、竿体の円滑な撓りを演出できるが、ここにコイル部材を装着することで、竿体の円滑な撓りをさらに容易に演出し得る。
【００１０】
【発明の実施の形態】
本発明の一つの実施形態について、図面を参照しつつ説明する。
本発明のある実施形態を採用した釣竿は、図１に示すように、元竿１と、元竿１の穂先側に並継形式で連結される中竿２，穂先竿３とを有している。元竿１及び中竿２はそれぞれ、炭素繊維等の強化繊維に合成樹脂を含浸したプリプレグ素材からなる先細り筒状の部材である。また、穂先竿３は炭素繊維等の強化繊維に合成樹脂を含浸したプリプレグ素材を引き抜き成型した後に、先細りテーパ状に研磨加工した中実の部材である。
【００１１】
元竿１は、最も竿元側に位置する大径の竿体であって、竿元側の周面にリールを脱着自在に装着可能なリールシート４が一体的に形成されている。リールシート４の穂先側及び元竿１の竿元側端部にはそれぞれフロントグリップ５とリアグリップ６とが装着されている。また、元竿１の穂先側端部には釣糸ガイド７が固定されている。この釣糸ガイド７は周知のものであり、フレームにセラミックスなどのガイドリングが装着されたものである。このフレームを巻糸などで元竿１の周面に固定している。この巻糸には合成樹脂コーティングを施しても良い。
【００１２】
中竿２は元竿１の穂先側に並継形式に連結される。竿元側端部に元竿１の穂先側端部に挿入する嵌合雄部を有している。また、中竿２の周面には軸方向に間隔を隔てて複数の釣糸ガイド７が装着されている。この釣糸ガイド７は上述の元竿１の釣糸ガイド７と同様の周知のものである。
穂先竿３は中竿２の穂先側に並継形式に連結される。中竿２と同様に竿元側端部に中竿２の穂先側端部に挿入する嵌合雄部を有している。この穂先竿３は上述のように中実部材であるが、この中実の細棒部分（本体部）の竿元側の周面には釣糸ガイド７が装着されている。この釣糸ガイド７は上述のものと同様である。また、穂先竿３の本体部の穂先側端部にはトップガイド８が装着されている。このトップガイド８は穂先竿３の本体部の穂先側先端にキャップ状に装着されて固定されている。ガイドリングが配置されており、このガイドリングを釣糸が挿通する。
【００１３】
また、図２に詳しく示すように、穂先竿３のトップガイド８と釣糸ガイド７との間の本体部の周面にはコイル部材１０が装着されている。コイル部材１０は金属線材から構成される。この、金属線材はφ０．１〜０．２５ｍｍ程度、特にφ０．１５ｍｍ程度の細径のものを用いるのが好ましい。超弾性を有する形状記憶合金などを用いてコイル部材１０を形成してもよい。このコイル部材１０は、その両端に線状のままの固定部分１２を有し、その間にコイル状に金属線を巻回したコイル部分１１と固定部分１２とが交互になるように加工されている。コイル部分１１は金属線を３〜６回程度螺旋状に巻き上げた軸方向長さが５〜１０ｍｍ程度となる部分である。このコイル部分１１の螺旋状に巻回した空間を釣糸が挿通することになる。そして、このコイル部材１０は固定部分１２を穂先竿３の本体部の周面に当接させた上で巻糸１３を巻回することで穂先竿３の本体部の周面に固定されている。巻糸１３は巻回後の周面を合成樹脂でコーティングしてもよい。
【００１４】
このような釣竿では、元竿１のリールシート４に装着するリールからの釣糸を、順次、釣糸ガイド７，コイル部材１０のコイル部分１１，トップガイド８と挿通させて穂先側に導く。即ち、この釣竿の穂先竿３では、釣糸がコイル部材１０のコイル部分１１を軸方向に挿通し、このコイル部分１１が釣糸を支持し案内することになる。このコイル部分１１は軸方向に一定の範囲をもって釣糸を支持し案内しており、釣糸からの力を円滑に穂先竿３に伝達し反応がよい。また、軸方向に一定の範囲をもって釣糸を支持することで釣糸がコイル部分１０のセンターを通り易く、釣糸の出入りも円滑になる。また、コイル部材１０の固定部分１２を穂先竿３に固定することは、釣糸ガイド７を複数個並べて個別に固定するのに比べて容易であり作業性が向上すると共に、竿体への固定箇所の数を抑えることが可能となり、穂先竿３の円滑な撓りも確保し易くなる。
【００１５】
なお、この実施形態では、穂先竿３において、コイル部材１０と釣糸ガイド７とを併用しているが、コイル部材１０のみを用いてもよい。
また、図３に示すように、コイル部分２１が３カ所程度の比較的軸方向長さの短いコイル部材２０を複数個用意して、それぞれのコイル部材２０を穂先竿３に並べて装着してもよい。
【００１６】
【発明の効果】
本発明に係る釣竿では、穂先竿の撓りを阻害することなく釣糸からの力を竿体に円滑に伝達できる。また、釣糸をガイドする部材の装着作業も容易である。
【図面の簡単な説明】
【図１】本発明の第１実施形態を採用した釣竿の全体図。
【図２】図１の穂先竿３付近の拡大図。
【図３】穂先竿３付近の変形例を示した図。
【符号の説明】
３　穂先竿
７　釣糸ガイド
１０，２０　コイル部材
１１，２１　コイル部分
１２　固定部分
【図１】
2004129525.tif 000003
【図２】
2004129525.tif 000004
【図３】
2004129525.tif 000005